(57)【要約】【課題】イメージどおりの色で多数の画像を簡易に補正すると共にその補正した画像をイメージどおりの色で印刷したり表示する。【解決手段】画像に対して任意の色調整を行なった調整済画像と色調整を行なう前の元画像との色の差分に基づいて作成された補正用プロファイルを画像と撮影したデジタルカメラのＩＤとを関連付けて記憶しておき、画像を入力したときに画像データに含まれるデジタルカメラのＩＤを用いて補正用プロファイルを検索し（Ｓ２１０）、検索された補正用プロファイルからユーザが選択したプロファイルを入力した画像に添付する（Ｓ２２０，Ｓ２３０）。印刷装置や表示装置が画像に添付された補正用プロファイルを用いてカラーマッチングを行なうことにより、画像に対して補正用プロファイルを作成したときの色調整を施したものを印刷したり表示することができる。【選択図】        図４
2004304539.tif 000002
【特許請求の範囲】
【請求項１】
画像の色を補正する画像処理装置であって、
画像を取り扱う機器の色空間の相違を補正すると共に該相違とは異なる色変換により画像の色を補正する少なくとも一つの色補正情報を記憶する情報記憶手段と、
画像を入力する画像入力手段と、
該入力した画像に前記情報記憶手段に記憶された色補正情報を添付する色補正情報添付手段と、
を備える画像処理装置。
【請求項２】
前記色補正情報添付手段は、前記情報記憶手段に記憶された色補正情報を表示して添付する色補正情報をユーザに選択させる手段である請求項１記載の画像処理装置。
【請求項３】
請求項１または２記載の画像処理装置であって、
前記情報記憶手段は、画像を作成した機器を識別する機器識別情報と関連付けて色補正情報を記憶する手段であり、
前記画像入力手段は、前記機器識別情報が添付された画像を入力する手段であり、
前記色補正情報添付手段は、前記入力した画像に添付された機器識別情報に対応する色補正情報を検索して該入力した画像に添付する手段である
画像処理装置。
【請求項４】
前記機器識別情報は、機器を個体識別する情報または機器の製造メーカーを識別する情報である請求項３記載の画像処理装置。
【請求項５】
前記色補正情報は、画像を作成した機器の色空間の相違を補正する色空間情報として機能する情報である請求項１ないし４いずれか記載の画像処理装置。
【請求項６】
前記色空間情報は、ＩＣＣプロファイルである請求項５記載の画像処理装置。
【請求項７】
請求項１ないし６いずれか記載の画像処理装置であって、
色補正情報を作成するために画像を入力する作成用画像入力手段と、
該入力した画像に対して色調整が可能な色調整手段と、
該色調整手段による色調整が行なわれた後の調整済画像と色調整が行なわれる前の元画像とに基づいて前記色補正情報を作成する色補正情報作成手段と、
該作成された色補正情報を前記情報記憶手段に記憶させる色補正情報記憶処理手段と、
を備える画像処理装置。
【請求項８】
コンピュータを請求項１ないし７いずれか記載の画像処理装置として機能させるプログラム。
【請求項９】
画像の色を補正する画像処理方法であって、
（ａ）画像を取り扱う機器の色空間の相違を補正すると共に該相違とは異なる色変換により画像の色を補正する少なくとも一つの色補正情報を記憶しておき、
（ｂ）画像を入力したとき、該入力した画像に前記記憶している色補正情報を添付する
画像処理方法。
【発明の詳細な説明】
【０００１】
【発明の属する技術分野】
本発明は、画像処理装置および画像処理方法並びにこれらに用いるプログラムに関し、詳しくは、画像の色を補正する画像処理装置および画像処理方法並びにこれらに用いるプログラムに関する。
【０００２】
【従来の技術】
従来、この種の画像処理装置としては、カラーマネジメントを行なって画像を印刷する印刷システムが提案されている（例えば、特許文献１参照）。このシステムでは、ユーザは、画像サーバから画像データと入力機器用のプロファイルとをダウンロードし、ダウンロードした入力機器用のプロファイルとユーザのコンピュータに接続されたプリンタに対するプロファイルとを用いてダウンロードした画像データに対してカラーマッチング処理を行ない、このカラーマッチング処理を施した画像データをプリンタで出力する。
【０００３】
また、写真画像の色調整を行なうレタッチソフトも提案されている（例えば、非特許文献１参照）。このレタッチソフトでは、ゴミやキズ，しわなどの除去を行なったり、露出や彩度の調整を行なうこともできる。
【０００４】
【特許文献１】
特開２００２−１３５６０４号公報
【非特許文献１】
アドビシステムズ株式会社、「Ａｄｏｂｅ  Ｐｈｏｔｏｓｈｏｐ」、［平成１５年３月１３日検索］、インターネット＜ＵＲＬ：ｈｔｔｐ：／／ｗｗｗ．ａｄｏｂｅ．ｃｏ．ｊｐ／ｐｒｏｄｕｃｔｓ／ｐｈｏｔｏｓｈｏｐ／ｏｖｅｒｖｉｅｗ．ｈｔｍｌ＞
【０００５】
【発明が解決しようとする課題】
しかしながら、前述の印刷システムでは、入力機器用のプロファイルと出力機器用のプロファイルを用いて画像データに対してカラーマッチングを行なうことはできるが、カラーマッチングは画像の色ができるだけ正確に正しく印刷されるように行なわれ、ユーザの好みを反映しないから、ユーザがイメージしたとおりの色で画像が印刷されない場合が生じる。この場合、レタッチソフトを用いて画像をイメージどおりに修正することもできるが、画像毎に修正する必要が生じ、多数の画像を同様なイメージどおりに印刷したいときには、その操作が煩雑なものとなる。
【０００６】
本発明の画像処理装置および画像処理方法は、ユーザのイメージどおりの色で多数の画像を簡易に補正することができるようにすることを目的の一つとする。また、本発明の画像処理装置および画像処理方法は、カラーマッチングを行なってイメージどおりの画像の印刷や表示などが行なえるようにすることを目的の一つとする。本発明のプログラムは、コンピュータを、ユーザのイメージどおりの色で多数の画像を簡易に補正することができると共にカラーマッチングを行なってイメージどおりの画像の印刷や表示などが行なえる画像処理装置として機能させることを目的とする。
【０００７】
【課題を解決するための手段およびその作用・効果】
本発明の画像処理装置および画像処理方法並びにこれらに用いるプログラムは、上述の目的の少なくとも一部を達成するために以下の手段を採った。
【０００８】
本発明の画像処理装置は、
画像の色を補正する画像処理装置であって、
画像を取り扱う機器の色空間の相違を補正すると共に該相違とは異なる色変換により画像の色を補正する少なくとも一つの色補正情報を記憶する情報記憶手段と、
画像を入力する画像入力手段と、
該入力した画像に前記情報記憶手段に記憶された色補正情報を添付する色補正情報添付手段と、
を備えることを要旨とする。
【０００９】
この本発明の画像処理装置では、画像を取り扱う機器の色空間の相違を補正すると共にこの相違とは異なる色変換により画像の色を補正する色補正情報を記憶しておき、入力した画像にこの色補正情報を添付する。この添付した色補正情報を画像を印刷する印刷装置や画像を表示する表示装置が画像の印刷や表示の際に用いることにより、色補正情報を反映した画像を印刷したり表示したりすることができる。しかも、色補正情報は画像を取り扱う機器の色空間の相違を補正すると共にこの相違とは異なる色変換により画像の色を補正する情報であるから、画像自体に変更を加えることなく画像の色を補正することができる。この結果、画像の色の補正による劣化を抑止することができる。また、色補正情報を所望の内容としておくことができるから、ユーザはイメージどおりの色で多数の画像を簡易に補正することができると共にカラーマッチングを行なってイメージどおりの画像の印刷や表示などを行なうことができる。
【００１０】
こうした本発明の画像処理装置において、前記色補正情報添付手段は、前記情報記憶手段に記憶された色補正情報を表示して添付する色補正情報をユーザに選択させる手段であるものとすることもできる。こうすれば、ユーザは好みの色補正情報を選択して画像に添付することができる。
【００１１】
また、本発明の画像処理装置において、前記情報記憶手段は画像を作成した機器を識別する機器識別情報と関連付けて色補正情報を記憶する手段であり、前記画像入力手段は前記機器識別情報が添付された画像を入力する手段であり、前記色補正情報添付手段は前記入力した画像に添付された機器識別情報に対応する色補正情報を検索して該入力した画像に添付する手段であるものとすることもできる。こうすれば、画像を作成した機器毎に色補正情報を用いることができるから、カラーマッチングに適したものとすることができる。ここで、機器識別情報としては、機器を個体識別する情報や機器の製造メーカーを識別する情報を考えることができる。
【００１２】
さらに、本発明の画像処理装置において、前記色補正情報は、画像を作成した機器の色空間の相違を補正する色空間情報として機能する情報であるものとすることもできる。この場合、色空間情報としては、ＩＣＣプロファイルを用いることもできる。こうすれば、カラーマッチングを行なう他の機器は、色補正情報を色空間情報として取り扱うから、何ら特別なことをしなくても画像の色を補正して他の機器に取り扱わせることができる。
【００１３】
あるいは、本発明の画像処理装置において、色補正情報を作成するために画像を入力する作成用画像入力手段と、該入力した画像に対して色調整が可能な色調整手段と、該色調整手段による色調整が行なわれた後の調整済画像と色調整が行なわれる前の元画像とに基づいて前記色補正情報を作成する色補正情報作成手段と、該作成された色補正情報を前記情報記憶手段に記憶させる色補正情報記憶処理手段と、を備えるものとすることもできる。こうすれば、任意の画像に対して所望の色調整を行なって色補正情報を作成することができる。この結果、所望の内容の色補正情報を作成して任意の画像に対して色を補正することができる。
【００１４】
本発明の画像処理装置用のプログラムは、コンピュータを上述のいずれかの態様の本発明の画像処理装置、即ち、基本的には、画像の色を補正する画像処理装置であって、画像を取り扱う機器の色空間の相違を補正すると共に該相違とは異なる色変換により画像の色を補正する少なくとも一つの色補正情報を記憶する情報記憶手段と、画像を入力する画像入力手段と、該入力した画像に前記情報記憶手段に記憶された色補正情報を添付する色補正情報添付手段と、を備える画像処理装置として機能させることを要旨とする。
【００１５】
本発明の画像処理装置用のプログラムでは、コンピュータを上述のいずれかの態様の本発明の画像処理装置として機能させるから、本発明の画像処理装置が奏する効果、例えば、添付した色補正情報を画像を印刷する印刷装置や画像を表示する表示装置が画像の印刷や表示の際に用いることにより色補正情報を反映した画像を印刷したり表示したりすることができる効果や画像自体に変更を加えることなく画像の色を補正することができる効果，画像の色の補正による劣化を抑止することができる効果，ユーザのイメージどおりの色で多数の画像を簡易に補正することができると共にカラーマッチングを行なってイメージどおりの画像の印刷や表示などを行なうことができる効果などと同様な効果を奏することができる。
【００１６】
本発明の画像処理方法は、
画像の色を補正する画像処理方法であって、
（ａ）画像を取り扱う機器の色空間の相違を補正すると共に該相違とは異なる色変換により画像の色を補正する少なくとも一つの色補正情報を記憶しておき、
（ｂ）画像を入力したとき、該入力した画像に前記記憶している色補正情報を添付する
ことを要旨とする。
【００１７】
この本発明の画像処理方法によれば、画像を取り扱う機器の色空間の相違を補正すると共にこの相違とは異なる色変換により画像の色を補正する色補正情報を記憶しておき、入力した画像にこの色補正情報を添付するから、この添付した色補正情報を画像を印刷する印刷装置や画像を表示する表示装置が画像の印刷や表示の際に用いることにより、色補正情報を反映した画像を印刷したり表示したりすることができる。しかも、色補正情報は画像を取り扱う機器の色空間の相違を補正すると共にこの相違とは異なる色変換により画像の色を補正する情報であるから、画像自体に変更を加えることなく画像の色を補正することができる。この結果、画像の色の補正による劣化を抑止することができる。また、色補正情報を所望の内容としておくことができるから、ユーザはイメージどおりの色で多数の画像を簡易に補正することができると共にカラーマッチングを行なってイメージどおりの画像の印刷や表示などを行なうことができる。
【００１８】
【発明の実施の形態】
次に、本発明の実施の形態を実施例を用いて説明する。図１は、本発明の一実施例である画像処理装置として機能するクライアントコンピュータ（以下、クライアントＰＣと呼ぶ）４０を含む印刷システムの構成の概略を示す構成図である。実施例の印刷システムは、カラーマッチングを行なって画像を印刷する印刷装置３０と複数台のクライアントＰＣ４０とがＬＡＮ４９によって接続され、このＬＡＮ４９にインターネット２２を介してセンタサーバ２０が接続されて構成されている。
【００１９】
クライアントＰＣ４０は、いわゆるＰＣ／ＡＴ互換機のコンピュータにより構成されており、ＣＰＵやＲＡＭ，ハードディスク，モニタ等を備えている。また、クライアントＰＣには、デジタルカメラ４８やハードディスク等から入力した画像データに画像処理を施すための画像処理ソフトウェアや印刷用紙に画像をレイアウトするためのレイアウト処理ソフトウェア，カラーマッチングに用いられる画像のカラースペースを定義するプロファイルを作成したり作成したプロファイルを画像に添付するプロファイル処理ソフトウエアなどがインストールされている。図１のクライアントＰＣ４０には、クライアントＰＣ４０にインストールされたこれらのソフトウエアのうちプロファイル処理ソフトウエアとして機能するときを中心としてその機能ブロックを示した。図示するように、クライアントＰＣ４０は、プロファイル処理を行なう機能ブロックとして、プロファイルを作成するための画像データを入力するデータ入力部４２と、入力した画像の色を調整する色調整部４３と、この色調整が行なわれた画像と調整される前の元画像とに基づいてプロファイルを作成するプロファイル作成部４４と、この作成したプロファイルを元画像を撮影したデジタルカメラのＩＤと関連付けて記憶するプロファイル記憶部４７と、画像データを入力したときにその画像を撮影したデジタルカメラのＩＤに基づいてプロファイル記憶部４７に記憶されたプロファイルを検索するプロファイル検索部４５と、検索したプロファイルを画像データに添付するプロファイル添付部４６とを備える。この他、図示しないが、画像処理ソフトウェアを用いて色調補正を施す画像処理部やレイアウト処理ソフトウェアを用いて画像を印刷用紙へレイアウトするレイアウト処理部，画像データやレイアウトデータ，印刷用のＩＣＣプロファイル，用紙の指定や印刷する部数の指定などの印刷指示データを印刷装置３０に印刷ジョブとして転送する印刷指示部なども備えている。
【００２０】
印刷装置３０は、２台の高性能なインクジェットプリンタ３４，３６と、クライアントＰＣ４０から印刷指示された印刷ジョブのインクジェットプリンタ３４，３６への振り分けなどを管理するプリントサーバ３２と、が内蔵されて構成されている。プリントサーバ３２は、クライアントＰＣ４０から印刷ジョブを受信すると、用紙の指定やインクジェットプリンタ３４，３６の稼働状況などに応じて印刷ジョブをページ単位あるいはコピー単位でインクジェットプリンタ３４，３６のいずれかに割り振り、レイアウトを画像に施して印刷データを生成し、スプールし、割り振ったインクジェットプリンタを用いて印刷を行う。プリントサーバ３２は、Ｗｅｂサーバ機能を内蔵しており、Ｗｅｂブラウザ経由でスプールしている印刷ジョブの状況をクライアントＰＣ４０に提供することもできる。クライアントＰＣ４０は、プリントサーバ３２が提供するＷｅｂベースのインターフェースにより、印刷順序の入れ替えや印刷のキャンセル等のジョブ操作を行うことができる。
【００２１】
センタサーバ２０は、定期的にプリントサーバ３２から送信される印刷した枚数の記録に基づいて課金計算したり、消耗品の消費状況に基づいて消耗品の補充管理を行なう。
【００２２】
次に、こうして構成された実施例のクライアントＰＣ４０の動作、特にプロファイル処理における動作について説明する。図２は、プロファイル作成処理の一例を示すフローチャートである。プロファイル作成処理は、まず、補正用プロファイルを作成するための画像データを入力する処理から始まる（ステップＳ１００）。入力する画像としては、例えば、ＡＮＳＩ（米国標準協会）の技術委員会ＩＴ８  ＳＣ４で標準化されたＩＴ８と呼ばれるカラーチャートをプロファイルの作成の対象としてのデジタルカメラで撮影したものを用いることは勿論、プロファイルの作成の対象としてのデジタルカメラで撮影されたものであればスナップ写真画像を用いることもできる。また、ＩＣＣプロファイルが添付された画像を用いることもできる。いずれの場合でも、画像データには、プロファイルの対象となるデジタルカメラのＩＤ情報が添付されていることが必要となる。
【００２３】
こうして画像を入力すると、色調整用画面Ｇ１をモニタに表示出力し、試印刷を行ないながら補正用画像に対する色調整を行なう（ステップＳ１１０，Ｓ１２０）。色調整用画面Ｇ１の一例を図３に示す。この例の色調整用画面Ｇ１では、左半分には色調整する前の元画像と色調整している最中の調整画像とを上下に表示するプレビュー領域ＰＡが配置され、右半分には色調整を行なうための各種コントロールが配置されている。色調整用画面Ｇ１のプレビュー領域ＰＡには、入力した画像にＩＣＣプロファイルが添付されているときにはＩＣＣプロファイルを用いて画像を撮影したデジタルカメラのカラーに最も近似するカラースペースを調整し、これを元画像と調整画像として表示し、入力した画像にＩＣＣプロファイルが添付されていないときには、そのままの画像を元画像と調整画像として表示する。ユーザは、プレビュー領域ＰＡに表示された調整画像に対して各種コントロールを用いて色調整を行なうことができる。プレビュー領域ＰＡの調整画像は、ユーザが色調整を行なうと、その結果がリアルタイムで反映されるようになっている。色調整用画面Ｇ１のコントロールとしては、例えば−６０％〜＋６０％の範囲で明度の調整が可能なスライドバーＳＬ１や−４０％〜＋４０％の範囲でコントラストが調整可能なスライドバーＳＬ２，０°〜３６０°の範囲で色相を調節可能な色相用の数値ボックス，０％〜１００％の範囲で彩度を調整可能な彩度用の数値ボックス，これら色相と彩度をより直感的に調整するための円形状のＨＳコントロールなどが設けられている。ユーザは、スライドバーＳＬ１，ＳＬ２や色相用の数値ボックス，彩度用の数値ボックス，ＨＳコントロールなどを操作することにより所望の色調整ができる。ここで、ＨＳコントロールについて若干の説明をしておく。
【００２４】
ＨＳコントロールは、その内部に色相の異なる色を環状に配した色相環ＨＲを表示する。色相は、図中「０°」と示した位置から反時計回りに、赤→黄→緑→シアン→青→マゼンタ→赤の順にそれぞれの色が連続的に滑らかにつながるように配置される。この色相環ＨＲは、円の中心点から円周方向にかけて彩度が高くなるように表示される。ＨＳコントロール内に表示されるカーソルＣＵＲは、色相環ＨＲの中心点から彩度増減ボタンＳＢの中心までの直線上に表示され、初期状態では色相環ＨＲの中心に表示される。ＨＳコントロールでは、このカーソルＣＵＲの位置に基づき色相と彩度の調整値が指定される。ユーザは、回転リングＲＲをマウスでドラッグして回転させることにより、色相を調整することができる。このとき、その回転に連動して彩度増減ボタンＳＢとカーソルＣＵＲもリアルタイムに回転する。この回転リングＲＲにより、ユーザは、彩度を一定に保ったまま色相を調整することができる。彩度増減ボタンＳＢは、回転リングＲＲ上に設けられており、彩度の調整に用いる。ユーザは、彩度増減ボタンＳＢ上の白丸や黒丸をマウスでクリックすることにより彩度を上げたり下げることができる。このとき、カーソルＣＵＲは、彩度増減ボタンＳＢ側にあるいは中心側に移動する。この彩度増減ボタンにより、ユーザは、色相を一定に保ったまま彩度を調整することができる。リングボタンＲＢは、Ｒ，Ｙ，Ｇ，Ｃ，Ｂ，Ｍの６つのボタンにより構成されている。ユーザは、これらのボタンを押すことにより、色相をそのボタンに対応した色相に瞬時に指定することができる。また、リングボタンＲＢを押し続けることにより、彩度を増加させることもできる。ユーザがリングボタンを押すと、カーソルＣＵＲと彩度増減ボタンＳＢは、色相環ＨＲの中心とリングボタンの中心を結ぶ直線上に移動する。また、ＨＳコントロールでは、ユーザがカーソルＣＵＲをマウスでドラッグすることにより、彩度および色相の両者を同時に調整することができる。このとき、彩度増減ボタンＳＢはカーソルＣＵＲの移動に連動して回転する。
【００２５】
色調整用画面Ｇ１の下方にはプリントボタンＰＢが設けられており、ユーザは、色調整を行なっている最中にこのプリントボタンＰＢを操作することにより色調整中の調整画像を印刷装置３０で印刷することができる。したがって、各種コントロールを用いて若干の色調整を行なって印刷して色の程度を確認し、また若干の色調整を行なって印刷して色の程度を確認する、というように所望の色調整がなされるまで少しずつ結果を確認しながら色調整を行なうことができるようになっている。なお、この調整画像を印刷装置３０で印刷する場合でも、通常の画像の印刷と同様に、モニタとインクジェットプリンタ３４，３６とのカラーマッチングが行なわれる。
【００２６】
この色調整用画面Ｇ１の下方の「ＯＫ」ボタンが操作されることにより色調整が終了すると（ステップＳ１３０）、元画像と色調整が終了した調整済画像との色の差分をとって元画像を調整済画像に変換する補正用プロファイルを作成する（ステップＳ１４０）。元画像と調整済画像との色の差分は、色調整が行なわれた部分（色）について行なわれるが、この場合、他の色間については補間演算によりデータを作成している。例えば、入力する画像としてＩＴ８を用い、所望の色のカラーパッチに対して色調整を行なった場合、色調整の行なわれた色については色調整の前後における差分をもってデータを作成し、色調整が行なわれた色に近似する色については色の近似の程度が小さくなるほど差分が小さくなるようデータを作成するのである。これにより、所望の色を色調整するだけでその色に近似する色に対しても色調整を行なうことができると共に色調整がなされたことによる所望の色と近似する色との色の変化を滑らかなものとすることができるのである。補正用プロファイルは、入力した画像にＩＣＣプロファイルが添付されているときにはそのＩＣＣプロファイルに色調整による色の差分が反映されるよう作成される。このように添付されたＩＣＣプロファイルを用いて作成するのは、色調整用画面Ｇ１のプレビュー領域ＰＡにはＩＣＣプロファイルを用いてカラーマッチングを行なったものを元画像として表示するからであり、また、色調整を行なっていない部分や色調整に影響を受けない部分については添付されたＩＣＣプロファイルを反映した方が色の再現性をよりよくすることができるからである。なお、補正用プロファイルは、入力した画像にＩＣＣプロファイルが添付されていないときには、元画像と調整済画像との差分に基づいて新たなＩＣＣプロファイルとして作成される。
【００２７】
こうして補正用プロファイルが作成されると、補正用プロファイルに名前を付け、プロファイル記憶部４７として機能する図示しないハードディスク装置のプロファイル格納領域に名前を付けた補正用プロファイルを入力した画像を撮影したデジタルカメラのＩＤ情報と関連付けて記憶し（ステップＳ１５０）、プロファイル作成処理を終了する。補正用プロファイルの格納は、例えば、作成した補正用プロファイルにＩＤを付けて格納領域に格納すると共に補正用プロファイルのＩＤと補正用プロファイルの名前とデジタルカメラのＩＤとをデータとしてデータベース化して記憶することにより行なうことができる。
【００２８】
次に、こうして作成された補正用プロファイルを画像に添付する処理について説明する。図４は、プロファイル添付処理の一例を示すフローチャートである。この処理は、クライアントＰＣ４０の画像処理ソフトウェアやレイアウト処理ソフトウェアなどが起動されて画像処理やレイアウト処理などのためにデジタルカメラ４８などのストレージ装置から新しく画像を入力するときなどに実行される。プロファイル添付処理が実行されると、まず、画像データを入力し（ステップＳ２００）、画像データに含まれるその画像を撮影したデジタルカメラのＩＤをキーとしてプロファイル記憶部４７にそのデジタルカメラのＩＤに関連付けた補正用プロファイルが記憶されているかを検索する（ステップＳ２１０）。
【００２９】
補正用プロファイルが検索されると、検索された補正用プロファイルを一覧表示して画像に添付するプロファイルをユーザに選択させる処理を行なう（ステップＳ２２０）。図５にプロファイル選択画面の一例を示す。図５の例では、複数の補正用プロファイルの他にデフォルトのプロファイル（例えば、ｓＲＢＧプロファイルなど）も選択することができると共にプロファイルを添付しないも選択することができるようになっている。ユーザによりプロファイルが選択されると、入力した画像にＩＣＣプロファイルが添付されているときには添付されているＩＣＣプロファイルに代えて選択された補正用プロファイルを添付し、入力した画像にＩＣＣプロファイルが添付されていないときには単に補正用プロファイルを添付して（ステップＳ２３０）、プロファイル添付処理を終了する。なお、ユーザによりデフォルトのプロファイルが選択されたときには、画像には選択されたデフォルトのプロファイルが添付され、ユーザにより「プロファイルを添付しない」が選択されたときには、画像にはプロファイルは添付されない。この処理により、所望の色調整を行なうプロファイルを所望の画像に添付することができる。こうして補正用プロファイルが添付された画像は、画像処理ソフトウェアやレイアウト処理ソフトウェアで処理される際や印刷装置３０で印刷される際に、補正用プロファイルに基づいてカラーマッチングが行なわれる。
【００３０】
以上説明した実施例のプロファイル添付処理を実行するクライアントＰＣ４０によれば、入力した画像データに含まれる画像を撮影したデジタルカメラのＩＤに基づいてそのＩＤに関連付けて記憶された補正用プロファイルを検索し、ユーザの選択により選択された補正用プロファイルを入力した画像に添付するから、所望の色調整を任意の画像に対して容易に行なうことができる。しかも、補正用プロファイルは、デジタルカメラの色空間の相違を補正するプロファイルとしてＩＣＣのフォーマットでデータ記述されるから、画像自体に変更を加えることなく、画像に色調整を行なうことができる。この結果、画像の色の補正による劣化を抑止することができる。また、デジタルカメラのＩＤに基づいて補正用プロファイルを選択するから、カラーマッチングを行なった画像の印刷や表示を行なうことができる。さらに、補正用プロファイルを所望の内容としておくことができるから、ユーザはイメージどおりの色で多数の画像を簡易に補正することができると共にカラーマッチングを行なってイメージどおりの画像の印刷や表示などを行なうことができる。
【００３１】
実施例のプロファイル作成処理を実行するクライアントＰＣ４０によれば、画像に対して所望の色調整を行なった結果を補正用プロファイルとして作成することができる。この結果、所望の色調整を行なう補正用プロファイルを容易に作成することができる。しかも、入力した画像にＩＣＣプロファイルが添付されているときには、添付されたＩＣＣプロファイルを用いた画像を元画像として色調整し、色調整の結果として補正用プロファイルを作成する際には、添付されたＩＣＣプロファイルを用いて作成するから、より適正な補正用プロファイルを作成することができる。また、色調整用画面Ｇ１のプレビュー領域ＰＡに元画像と調整画像とを並べて表示するから、色調整を元画像と比較しながら行なうことができる。加えて、色調整を行なっている最中に色調整用画面Ｇ１のプリントボタンＰＢを操作することにより色調整中の調整画像を印刷装置３０で印刷することができるから、色調整の程度を確認しながら徐々に行なうことができる。
【００３２】
ここで、実施例のプロファイル添付処理を実行するクライアントＰＣ４０は、プロファイル記憶部４７が情報記憶手段に相当し、図４のプロファイル添付処理におけるステップＳ２００を実行するデータ入力部４２が画像入力手段に相当し、同じくプロファイル添付処理におけるステップＳ２１０〜２３０を実行するプロファイル検索部４５とプロファイル添付部４６とが色補正情報添付手段に相当する。また、実施例のプロファイル作成処理を実行するクライアントＰＣ４０は、図２のプロファイル作成処理におけるステップＳ１００を実行するデータ入力部４２が作成用画像入力手段に相当し、同じくプロファイル作成処理におけるステップＳ１１０〜Ｓ１３０を実行する色調整部４３が色調整手段に相当し、プロファイル作成処理におけるステップＳ１４０を実行するプロファイル作成部４４が色補正情報作成手段に相当し、プロファイル作成処理におけるステップＳ１５０を実行するプロファイル記憶部４７が色補正情報記憶処理手段に相当する。
【００３３】
実施例のプロファイル添付処理では、入力した画像データに含まれる画像を撮影したデジタルカメラのＩＤに基づいてそのＩＤに関連付けて記憶された補正用プロファイルを検索し、検索した補正用プロファイルから入力した画像に添付するプロファイルをユーザに選択させるものとしたが、デジタルカメラのＩＤに対して単一の補正用プロファイルを記憶しておき、入力した画像データに含まれるデジタルカメラのＩＤに基づいて導出される補正用プロファイルを自動的に添付するものとしてもよい。
【００３４】
実施例のプロファイル作成処理とプロファイル添付処理では、デジタルカメラのＩＤに関連付けて作成した補正用プロファイルを格納するものとしたが、デジタルカメラのＩＤに関連付けることなく、補正用プロファイルを単独に格納するものとしてもよい。
【００３５】
実施例のプロファイル作成処理では、画像にＩＣＣプロファイルが添付されているときにはＩＣＣプロファイルを適用した元画像と調整済画像との差分をＩＣＣプロファイルに反映して補正用プロファイルを作成し、画像にＩＣＣプロファイルが添付されていないときには元画像と調整済画像との差分により直接補正用プロファイルを作成したが、画像にＩＣＣプロファイルが添付されているときにもＩＣＣプロファイルが添付されていないときと同様にＩＣＣプロファイルを適用しない元画像と調整済画像との差分から直接補正用プロファイルを作成するものとしてもよいし、画像にＩＣＣプロファイルが添付されていないときにはデフォルトのＩＣＣプロファイルを添付し、そのＩＣＣプロファイルが添付されていたものとして画像にＩＣＣプロファイルが添付されているときと同様にＩＣＣプロファイルを適用した元画像と調整済画像との差分をＩＣＣプロファイルに反映して補正用プロファイルを作成するものとしてもよい。
【００３６】
実施例のプロファイル作成処理では、色調整用画面Ｇ１のプレビュー領域ＰＡに元画像と調整画像とを表示して元画像と比較しながら色調整を行なうことができるものとしたが、プレビュー領域ＰＡには調整画像だけを表示し、元画像を表示しないものとしてもよい。
【００３７】
実施例のプロファイル作成処理では、色調整用画面Ｇ１のコントロールとしてＨＳコントロールを用いたが、如何なる手法により画像の色調整を行なうものとしてもさし支えない。
【００３８】
実施例のプロファイル作成処理では、色調整を行なっている最中の調整画像を印刷装置３０で印刷して色調整を確認しながら行なうものとしたが、色調整を行なっている最中の調整画像を印刷装置３０で印刷することができないものとしてもかまわない。
【００３９】
実施例のプロファイル作成処理では、デジタルカメラのＩＤが含まれる画像データを読み込んで色調整して得られる補正用プロファイルをデジタルカメラのＩＤと関連付けて記憶するものとしたが、補正用プロファイルに関連付ける情報としてはデジタルカメラのＩＤに限られず、デジタルカメラを個体識別する他の情報やデジタルカメラの製造メーカーを識別する情報などとしてもよい。また、画像の作成はデジタルカメラには限られないので、その他の機器、例えばスキャナなどの機器を個体識別する情報や機器の製造メーカーを識別する情報と関連付けて補正用プロファイルを記憶するものとしてもよい。
【００４０】
実施例では、クライアントＰＣ４０にはプロファイル作成処理やプロファイル添付処理を行なうソフトウェアとして画像処理ソフトウェアとレイアウト処理ソフトウェアとは異なるプロファイル処理ソフトウェアがインストールされているものとしたが、プロファイル作成処理やプロファイル添付処理が画像処理ソフトウエアの機能の一つとしてプログラミングされた画像処理ソフトウェアがクライアントＰＣ４０にインストールされているものとしてもよい。こうすれば、色調整の処理を画像処理と同様の画面などで行なうことができる。
【００４１】
実施例では、プロファイル作成処理やプロファイル添付処理を行なうプロファイル処理ソフトウェアの形態やこのソフトウェアがインストールされたクライアントＰＣ４０の形態として説明したが、プロファイル作成方法やプロファイル添付方法などの方法の形態としてもよい。
【００４２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】印刷システムの構成の概略を示す構成図。
【図２】プロファイル作成処理の一例を示すフローチャート。
【図３】色調整用画面Ｇ１の一例を示す説明図。
【図４】プロファイル添付処理の一例を示すフローチャート。
【図５】プロファイル添付選択画面の一例を示す説明図。
【符号の説明】
２０  センタサーバ、２２  インターネット、３０  印刷装置、３２  プリントサーバ、３４，３６  インクジェットプリンタ、４０  クライアントＰＣ、４２  データ入力部、４３  色調整部、４４  プロファイル作成部、４６  プロファイル検索部、４６  プロファイル添付部、４７、プロファイル記憶部、４８  デジタルカメラ、４９  ＬＡＮ。
【図１】
2004304539.tif 000003
【図２】
2004304539.tif 000004
【図３】
2004304539.tif 000005
【図４】
2004304539.tif 000006
【図５】
2004304539.tif 000007